(57)【要約】【課題】端子部と端子金具の嵌合方向の収容スペースを小さくすることができるリレーを提供する。【解決手段】リレー１Ａは、外形が直方体状のリレー本体２と、該リレー本体２から突出し、端子金具と嵌合される４つの板状の端子部３と、を有している。リレー本体２は、対向する上面２ａ及び底面２ｂと、対向する側面２ｃ及び側面２ｄと、対向する側面２ｅ及び側面２ｆと、を有している。４つの端子部３は、リレー本体２の上面２ａから突出し、直角に２回曲げられて、先端が側面２ｅ，２ｆと対向している。また、４つのうち２つの端子部３の先端が側面２ｅと対向しており、残り２つの端子部３の先端が側面２ｆと対向している。【選択図】図１
2014082060.tif 000002
【特許請求の範囲】
【請求項１】
外形が直方体状のリレー本体と、該リレー本体から突出し、端子金具と嵌合される複数の端子部と、を有するリレーにおいて、
前記複数の端子部が、前記リレー本体の上面から突出し、かつ、当該端子部の先端が前記リレー本体の側面と対向するように曲げられている
ことを特徴とするリレー。
【請求項２】
前記複数の端子部の先端が、前記リレー本体の少なくとも２面の側面と対向している
ことを特徴とする請求項１に記載のリレー。
【請求項３】
請求項１または請求項２に記載のリレーと、該リレーの複数の端子部と嵌合される複数の端子金具と、前記リレー及び前記複数の端子金具が収容される保持部材と、を有している
ことを特徴とするリレーモジュール。
【請求項４】
請求項１または請求項２に記載のリレーと、該リレーの複数の端子部と嵌合される複数の端子金具と、前記リレー及び前記複数の端子金具が収容される保持部材と、を有している
ことを特徴とする電気接続箱。
【発明の詳細な説明】
【技術分野】
【０００１】
本発明は、リレー、該リレーが保持部材に収容されて成るリレーモジュール及び電気接続箱に関するものである。
【背景技術】
【０００２】
図１０は、従来のリレーの斜視図である。図１１は、図１０に示されたリレーが保持部材に収容されて成るリレーモジュールの斜視図である。図１２は、図１１に示されたリレーモジュールの平面図である。図１３は、図１２中のＡ−Ａ線に沿った断面図である。
【０００３】
図１０に示すように、従来のリレー３０１は、外形が直方体状のリレー本体３０２と、該リレー本体３０２の底面３０２ｂから突出し、端子金具３０４（図１３に示す。）と嵌合される複数の板状の端子部３０３と、を有している。また、図１０の符号３０２ａは、リレー本体３０２の上面を示しており、符号３０２ｃ〜３０２ｆは、リレー本体３０２の側面を示している。また、矢印Ｋは、端子部３０３と端子金具３０４との嵌合方向を示している。
【０００４】
図１１〜１３に示すように、従来のリレーモジュール３０７は、図１０に示したリレー３０１と、該リレー３０１の複数の端子部３０３と嵌合される複数の端子金具３０４と、これらリレー３０１及び端子金具３０４が装着される保持部材３０６と、を有している。また、図１２においては、保持部材３０６を説明するために、２つのリレー３０１のうちの一方を図示していない。
【０００５】
上記端子金具３０４は、図１３に示すように、上記リレー３０１の端子部３０３と嵌合する雌型の接続部を有している。また、端子金具３０４は、電線３０５の端部に接続されている。
【０００６】
上記保持部材３０６は、合成樹脂で構成されている。この保持部材３０６は、図１１に示すように、リレー装着部３６３が２つ設けられている。リレー装着部３６３は、リレー本体３０２が載置される載置面３６０と、載置面３６０の下方に形成され、各端子部３０３及び各端子金具３０４を収容する複数の収容室３６１と、各収容室３６１内に設けられ、端子金具３０４に係止するランス３６２と、で構成されている。また、図１１の符号３６４は、電気接続箱等のケースに係止する係止部である。
【０００７】
上述したリレーモジュール３０７は、例えば、合成樹脂製のケースに収容されて、自動車用電気接続箱を構成する（特許文献１を参照。）。
【先行技術文献】
【特許文献】
【０００８】
【特許文献１】特開２０１０−２２１７８７号公報
【発明の概要】
【発明が解決しようとする課題】
【０００９】
しかしながら、上述した従来のリレー３０１を有する電気接続箱等の構造物においては、最低でも、リレー本体３０２の高さ寸法ｈ１１と、保持部材３０６の高さ寸法ｈ１２とを合わせた寸法の収容スペースが必要であり、高さ方向の寸法、すなわち端子部３０３と端子金具３０４との嵌合方向の寸法、が大きくなってしまうという問題があった。なお、保持部材３０６の高さ寸法ｈ１２は、端子部３０３の長さの２〜３倍程度である。
【００１０】
したがって、本発明は、端子部と端子金具の嵌合方向の収容スペースを小さくすることができるリレー、該リレーを有するリレーモジュール及び電気接続箱を提供することを目的とする。
【課題を解決するための手段】
【００１１】
上記目的を達成するために請求項１に記載された発明は、外形が直方体状のリレー本体と、該リレー本体から突出し、端子金具と嵌合される複数の端子部と、を有するリレーにおいて、前記複数の端子部が、前記リレー本体の上面から突出し、かつ、当該端子部の先端が前記リレー本体の側面と対向するように曲げられていることを特徴とするリレーである。
【００１２】
請求項２に記載された発明は、請求項１に記載された発明において、前記複数の端子部の先端が、前記リレー本体の少なくとも２面の側面と対向していることを特徴とするものである。
【００１３】
請求項３に記載された発明は、請求項１または請求項２に記載のリレーと、該リレーの複数の端子部と嵌合される複数の端子金具と、前記リレー及び前記複数の端子金具が収容される保持部材と、を有していることを特徴とするリレーモジュールである。
【００１４】
請求項４に記載された発明は、請求項１または請求項２に記載のリレーと、該リレーの複数の端子部と嵌合される複数の端子金具と、前記リレー及び前記複数の端子金具が収容される保持部材と、を有していることを特徴とする電気接続箱である。
【発明の効果】
【００１５】
請求項１に記載された発明によれば、前記複数の端子部が、前記リレー本体の上面から突出し、かつ、当該端子部の先端が前記リレー本体の側面と対向するように曲げられているので、端子部と端子金具の嵌合方向の収容スペースを小さくすることができるリレーを提供することができる。
【００１６】
請求項２に記載された発明によれば、前記複数の端子部の先端が、前記リレー本体の少なくとも２面の側面と対向しているので、端子部と端子金具の嵌合方向の収容スペースを小さくすることができるリレーを提供することができる。
【００１７】
請求項３に記載された発明によれば、請求項１または請求項２に記載のリレーと、該リレーの複数の端子部と嵌合される複数の端子金具と、前記リレー及び前記複数の端子金具が収容される保持部材と、を有しているので、リレーの端子部と端子金具の嵌合方向の収容スペースを小さくすることができるリレーモジュールを提供することができる。
【００１８】
請求項４に記載された発明によれば、請求項１または請求項２に記載のリレーと、該リレーの複数の端子部と嵌合される複数の端子金具と、前記リレー及び前記複数の端子金具が収容される保持部材と、を有しているので、リレーの端子部と端子金具の嵌合方向の収容スペースを小さくすることができる電気接続箱を提供することができる。
【図面の簡単な説明】
【００１９】
【図１】本発明の第１の実施形態にかかるリレーの斜視図である。
【図２】図１に示されたリレーが保持部材に収容されて成るリレーモジュールの斜視図である。
【図３】図２に示されたリレーモジュールの平面図である。
【図４】図３中のＢ−Ｂ線に沿った断面図である。
【図５】図４に示された端子金具付き電線の斜視図である。
【図６】本発明の第２の実施形態にかかるリレーの斜視図である。
【図７】本発明の第３の実施形態にかかるリレーの斜視図である。
【図８】本発明の第４の実施形態にかかるリレーの斜視図である。
【図９】本発明の第５の実施形態にかかるリレーの斜視図である。
【図１０】従来のリレーの斜視図である。
【図１１】図１０に示されたリレーが保持部材に収容されて成るリレーモジュールの斜視図である。
【図１２】図１１に示されたリレーモジュールの平面図である。
【図１３】図１２中のＡ−Ａ線に沿った断面図である。
【発明を実施するための形態】
【００２０】
（第１の実施形態）
本発明の第１の実施形態にかかる「リレー」、前記リレーを有する「リレーモジュール」及び「電気接続箱」を図１〜５を参照して説明する。
【００２１】
図１に示すリレー１Ａは、外形が直方体状のリレー本体２と、該リレー本体２から突出し、端子金具４（図４に示す。）と嵌合される複数の板状の端子部３と、を有している。また、矢印Ｋは、端子部３と端子金具４との嵌合方向を示している。
【００２２】
上記リレー本体２は、対向する上面２ａ及び底面２ｂと、対向する側面２ｃ及び側面２ｄと、対向する側面２ｅ及び側面２ｆと、を有している。上面２ａ、底面２ｂ、側面２ｅ及び側面２ｆは、略長方形の面である。側面２ｃ及び側面２ｄは、略正方形の面である。また、側面２ｃ及び側面２ｄは、側面２ｅ及び側面２ｆよりも面積が小さい。また、側面２ｄには、保持部材６（図２に示す。）に係止する係止突起２１が設けられている。
【００２３】
上記複数の端子部３は、合計４つ設けられている。これら端子部３は、上面２ａから突出し、直角に２回曲げられて、先端が側面２ｅ，２ｆと対向している。また、リレー１Ａにおいては、全体の高さ寸法を低くするために、端子部３の基端側の部分を可能な限り上面２ａ近傍で曲げている。また、４つのうち２つの端子部３の先端が側面２ｅと対向しており、残り２つの端子部３の先端が側面２ｆと対向している。
【００２４】
図２〜４に示すリレーモジュール７は、図１に示したリレー１Ａと、該リレー１Ａの複数の端子部３と嵌合される複数の端子金具４と、これらリレー１Ａ及び複数の端子金具４が収容される保持部材６と、を有している。
【００２５】
上記端子金具４は、図５に示すように、金属板にプレス加工等が施されて得られるものであり、電線５の端部に接続されている。この端子金具４は、上記リレー１Ａの端子部３と嵌合する雌型の接続部４１と、電線５の端部において絶縁被覆５２が除去されて露出した芯線５１をかしめる一対の圧着片４２と、絶縁被覆５２の部分をかしめる一対の圧着片４３と、を有している。また、接続部４１は、平板部４４と、平板部４４の両端から立設するとともに先端部が平板部４４側に曲げられた一対のバネ部４５と、を有している。このような端子金具４は、平板部４４と一対のバネ部４５の先端部との間に端子部３を挟むようにして端子部３と嵌合する。
【００２６】
また、本実施形態の端子金具４は、接続部４１が「ファストン型」と呼ばれるタイプであるが、本発明においては、接続部の形状はファストン型に限定されず、端子部３を収容可能な筒と該筒内に設けられた付勢バネとを有するものであっても良いし、端子部３が差し込まれるスロットを有する音叉形状のものであっても良い。
【００２７】
上記保持部材６は、合成樹脂で構成されている。この保持部材６は、図２，３に示すように、リレー収容部６３が１つ設けられている。リレー収容部６３は、図４に示すように、リレー本体２を収容する第１収容室６０と、第１収容室６０の両側に２つずつ形成され、各端子部３及び各端子金具４を収容する第２収容室６１と、各第２収容室６１内に設けられ、端子金具４に係止するランス６２と、で構成されている。第１収容室６０は、上方に開口した凹状に形成されている。第２収容室６１は、上下に開口した筒状に形成されている。ランス６２は、第２収容室６１の内面から延びている。また、ランス６２は、端子金具４のバネ部４５の縁に係止することで該端子金具４を保持する。
【００２８】
また、本実施形態の保持部材６は、リレー収容部６３が１つ設けられているが、本発明においては、リレー収容部６３が複数設けられていても良い。
【００２９】
このようなリレーモジュール７を組み立てる際は、予め電線５の端部に端子金具４を接続しておき、この端子金具付き電線５を第２収容室６１の下方から第２収容室６１内に挿入し、端子金具４をランス６２に係止させる。そして、保持部材６の上方から第１収容室６０及び第２収容室６１内にリレー１Ａを挿入し、各端子部３を各端子金具４に嵌合させて組み立てる。
【００３０】
上記電気接続箱は、上述したリレーモジュール７と、該リレーモジュール７を収容する合成樹脂製のケースと、を有している。また、「電気接続箱」は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００３１】
また、本実施形態の電気接続箱は、保持部材６が前記ケースと別体で形成されているが、本発明においてはこれに限らず、保持部材６が前記ケースと一体で形成されていても良い。すなわち、保持部材６が電気接続箱のケースの一部であっても良い。
【００３２】
以上説明したように、本発明によれば、リレー１Ａは、複数の端子部３が、リレー本体２の上面２ａから突出し、先端が側面２ｅ，２ｆと対向するように曲げられると共に、基端側の部分が上面２ａ近傍で曲げられているので、全体の高さ寸法（図４中にｈ１で示す。）がリレー本体２の高さ寸法と略等しくなる。このようなリレー１Ａを有するリレーモジュール７は、保持部材６の全体の高さ寸法（図４中にｈ２で示す。）が、第１収容室６０の高さ寸法と第２収容室６１の高さ寸法とを合わせた寸法ではなく、第１収容室６０のみの高さ寸法となる。よって、電気接続箱におけるリレーモジュール７の収容スペースを低くすることができ、電気接続箱全体の高さ寸法を低くすることができる。
【００３３】
また、本発明においては、前記リレーモジュール及び前記電気接続箱が、上述したリレー１Ａの代わりに、後述する第２の実施形態ないし第５の実施形態のリレー１Ｂ〜１Ｅを有していても良い。
【００３４】
（第２の実施形態）
本発明の第２の実施形態にかかる「リレー」を図６を参照して説明する。また、図６において、前述した第１の実施形態と同一構成部分には同一符号を付して説明を省略する。
【００３５】
図６に示すリレー１Ｂは、４つの端子部３を有しており、全ての端子部３がリレー本体２の上面２ａから突出し、直角に２回曲げられて、先端が側面２ｅと対向している。また、４つの端子部３は、矢印Ｋと直交する方向に一列に並んでいる。
【００３６】
（第３の実施形態）
本発明の第３の実施形態にかかる「リレー」を図７を参照して説明する。また、図７において、前述した第１，２の実施形態と同一構成部分には同一符号を付して説明を省略する。
【００３７】
図７に示すリレー１Ｃは、４つの端子部３を有しており、そのうちの３つがリレー本体２の上面２ａから突出し、直角に２回曲げられて、先端が側面２ｅと対向している。これら３つの端子部３は、矢印Ｋと直交する方向に一列に並んでいる。また、残りの１つの端子部３は、リレー本体２の上面２ａから突出し、直角に２回曲げられて、先端が側面２ｄと対向している。
【００３８】
（第４の実施形態）
本発明の第４の実施形態にかかる「リレー」を図８を参照して説明する。また、図８において、前述した第１〜３の実施形態と同一構成部分には同一符号を付して説明を省略する。
【００３９】
図８に示すリレー１Ｄは、４つの端子部３を有しており、そのうちの２つがリレー本体２の上面２ａから突出し、直角に２回曲げられて、先端が側面２ｅと対向している。他の１つの端子部３は、リレー本体２の上面２ａから突出し、直角に２回曲げられて、先端が側面２ｃと対向している。また、残りの１つの端子部３は、リレー本体２の上面２ａから突出し、直角に２回曲げられて、先端が側面２ｄと対向している。
【００４０】
（第５の実施形態）
本発明の第５の実施形態にかかる「リレー」を図９を参照して説明する。また、図９において、前述した第１〜４の実施形態と同一構成部分には同一符号を付して説明を省略する。
【００４１】
図９に示すリレー１Ｅは、４つの端子部３を有しており、そのうちの２つがリレー本体２の上面２ａから突出し、直角に２回曲げられて、先端が側面２ｅと対向している。また、残りの２つの端子部３は、リレー本体２の上面２ａから突出し、直角に２回曲げられて、先端が側面２ｄと対向している。
【００４２】
また、上述した第１の実施形態ないし第５の実施形態のリレー１Ａ〜１Ｅは、端子部３を４つ有していたが、本発明においては端子部３を５つ有していても良い。
【００４３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１Ａ〜１Ｅ  リレー
２  リレー本体
２ａ  上面
２ｃ〜２ｆ  側面
３  端子部
４  端子金具
６  保持部材
７  リレーモジュール
【図１】
2014082060.tif 000003
【図２】
2014082060.tif 000004
【図３】
2014082060.tif 000005
【図４】
2014082060.tif 000006
【図５】
2014082060.tif 000007
【図６】
2014082060.tif 000008
【図７】
2014082060.tif 000009
【図８】
2014082060.tif 000010
【図９】
2014082060.tif 000011
【図１０】
2014082060.tif 000012
【図１１】
2014082060.tif 000013
【図１２】
2014082060.tif 000014
【図１３】
2014082060.tif 000015